(57)【要約】      （修正有）【課題】手動開口調節リングの回転角を、開口寸法の変化に線形に比例するようにする調節機構を有するレンズ・アダプタを提供する。【解決手段】円筒形の基部１を備え、その基部１の一端には、レンズとこの基部１に納められる手動開口調節リング３と接続する第１の取付座２が設けられ、基部１の他端には、カメラと接続する第２の取付座４が設けられる。レンズ開口調節ロッド及び手動開口調節リング３と接続する調節機構によって、手動開口調節リング３の回転角が、レンズ開口の寸法変化に線形に比例するように調節される。【選択図】図１
0003188497.tif 000002
【実用新案登録請求の範囲】
【請求項１】
円筒形の基部の一端に、レンズ及びこの基部に納められる手動開口調節リングと接続する第１の取付座が設けられ、
基部の他端には、カメラと接続する第２の取付座が設けてあるレンズ・アダプタにおいて、
レンズ開口調節ロッド及び手動開口調節リングと接続する調節機構を備え、
この調節機構によって、手動開口調節リングの回転角が、レンズ開口の寸法変化に線形に比例するように調節される
ことを特徴とするレンズ・アダプタ。
【請求項２】
前記調節機構が、手動開口調節リングに固定されたバリアと、基部上に配置された被駆動部を備え、その被駆動部がレンズ開口調節ロッドに接続し、バリアの縁部が被駆動部と接触し、被駆動部がバリアの縁部形状の変化によって移動する
請求項１に記載のレンズ・アダプタ。
【請求項３】
前記バリアが、円弧状の切片であり、狭端部と広端部を備え、そのバリアの外側縁が手動開口調節リングに固定され、バリアの内側縁が特定のカーブを形成して狭端部から広端部まで伸び、手動開口調節リングの内側に突出している内側縁が、その狭端部で被駆動部に接触する
請求項２に記載のレンズ・アダプタ。
【請求項４】
前記バリアの内側縁と被駆動部を収容するくぼみが、手動開口調節リングが装着してある基部の端部に設けてあり、被駆動部が、基部のくぼみに設けられた回転軸と、バリアの内側縁と接触する嵌合部と、レンズ開口調節ロッドと接続する調整部を備える
請求項３に記載のレンズ・アダプタ。
【請求項５】
前記被駆動部及びバリアが、手動開口調節リングがある平面と平行な単一の平面にない場合、嵌合部が、被駆動部からバリアまで突出した柱状体であり、バリアの内側縁が、嵌合部の柱状体表面と接触する
請求項４に記載のレンズ・アダプタ。
【請求項６】
前記被駆動部の調整部とレンズ開口調節ロッドとが、手動開口調節リングがある平面と平行な単一の平面にない場合、調整部が、被駆動部からレンズ開口調節ロッドまで突出した柱状体であり、その柱状体の表面がレンズ開口調節ロッドと接触し、レンズ開口調節ロッドを動して、レンズの開口寸法を調節する
請求項４に記載のレンズ・アダプタ。
【請求項７】
前記被駆動部の調整部の柱状体の表面が、レンズ開口調節ロッドの外周と嵌合する
請求項６に記載のレンズ・アダプタ。
【請求項８】
前記被駆動部にリセットスプリング部材が備わる
請求項４に記載のレンズ・アダプタ。
【請求項９】
前記第１の取付座に、レンズの締め付けリングと適合する環状の挟持溝が設けてあり、前記第２の取付座に、カメラの環状係止スロットに適合する環状係止部材が設けてある
請求項１に記載のレンズ・アダプタ。
【請求項１０】
前記第１の取付座と、第２の取付座及び基部が、一体形成されている
請求項１に記載のレンズ・アダプタ。
【考案の詳細な説明】
【技術分野】
【０００１】
本考案は、レンズ・アダプタ、詳しくは、レンズを異なるカメラに適合させるためのレンズ・アダプタに関する。
【背景技術】
【０００２】
現在市場に出ているカメラには、着脱可能なレンズを備えたものや、ＳＬＲまたはマイクロＳＬＲカメラのように、レンズなしで販売されているものがある。この種のカメラは、異なる撮影要求及び効果に従って異なるレンズを備えることができる。
【０００３】
しかし、選択されるレンズがカメラボディと異なる銘柄だったり、カメラボディの仕様に対応しない場合、レンズ及びカメラボディは適合しない。概して、プロの写真家や熱心なマニアは、専門的なニコン（登録商標）のＳＬＲレンズを選ぶが、ニコン（登録商標）のＳＬＲレンズはすべてのカメラに適合するわけではなく、その装着範囲は制限される。
【０００４】
このような場合、レンズ・アダプタが採用される。その一端はレンズに装着され、他端はカメラボディに装着される。レンズ・アダプタにより、ＳＬＲレンズはより多くの種類のカメラに取り付けることが可能となる。
【０００５】
ほとんどの場合、ラッチ部材は、レンズ・アダプタ及びプラグの手動開口調節リングの内側溝に備えられ、レンズ開口調節ロッドと接続してある。
【０００６】
レンズ上のレンズ開口調節ロッドのストロークは、円弧状スロット内に制限されている。この円弧上スロットの中心は、レンズの中心軸上にあって、手動開口調節リングの中心軸と一致する。したがって、手動開口調節リングの回転角は、レンズ開口調節ロッドの移動角度と完全に一致する。
【０００７】
しかしながら、レンズ開口調節ロッドの移動角度は、開口ブレードの開閉（開口寸法の変化）と線形には比例しないので、手動開口調節リングの回転角は、開口寸法の変化とは線形に比例しない。回転角が大きいときに開口があまり変化しなかったり、また回転角が小さいときに開口が著しく変化したりするため、ユーザが手動開口調節リングによって開口寸法の変化を調節する際に不便が生じる。
【考案の概要】
【考案が解決しようとする課題】
【０００８】
そこで、本考案は、先行技術の上記欠点に着眼し、手動開口調節リングの回転角を、調節機構の補正調節により、開口寸法の変化に線形に比例するようにする調節機構を有するレンズ・アダプタを提供することを課題とする。
【課題を解決するための手段】
【０００９】
上記課題を解決するため、本考案は、以下の構成を有する。
【００１０】
本考案のレンズ・アダプタは、円筒形の基部を備え、この基部の一端には、レンズ及びこの基部に納められる手動開口調節リングと接続するための第１の取付座が設けてあり、この基部の他端には、カメラと接続するための第２の取付座が設けてある。レンズ・アダプタは、さらに、レンズ開口調節ロッド及び手動開口調節リングと接続する調節機構を備えている。この調節機構によって、手動開口調節リングは、その回転角がレンズ開口の寸法変化に線形に比例するように調節される。
【００１１】
ここで、前記調節機構は、手動開口調節リングに固定されたバリアと、基部上に配置された被駆動部を備え、この被駆動部はレンズ開口調節ロッドに接続し、バリアの縁部は被駆動部と接触し、被駆動部はバリアの縁部形状の変化によって移動してもよい。
【００１２】
また、前記バリアは円弧状の切片であって、狭端部と広端部を備え、バリアの外側縁は手動開口調節リングに固定してあり、バリアの内側縁は特有のカーブを形成して狭端部から広端部まで伸び、手動開口調節リングの内側に突出している。内側縁は、その狭端部で被駆動部に接触してもよい。
【００１３】
また、前記バリアの内側縁と被駆動部を収容するためのくぼみが、手動開口調節リングが装着してある基部の端部に設けてある。被駆動部は、基部のくぼみに設けられた回転軸と、バリアの内側縁と接触する嵌合部と、レンズ開口調節ロッドと接続する調整部を備えてもよい。
【００１４】
また、もし、前記被駆動部及びバリアが、手動開口調節リングがある平面と平行した単一の平面にない場合、嵌合部は、被駆動部からバリアまで突出した柱状体であり、バリアの内側縁は、嵌合部の柱状体表面と接触してもよい。
【００１５】
また、もし、前記被駆動部の調整部とレンズ開口調節ロッドとが、手動開口調節リングがある平面と平行した単一の平面にない場合、調整部は、被駆動部からレンズ開口調節ロッドまで突出した柱状体であり、この柱状体の表面がレンズ開口調節ロッドと接触し、レンズ開口調節ロッドを動して、レンズの開口寸法を調節してもよい。
【００１６】
また、被駆動部の調整部の柱状体の表面は、レンズ開口調節ロッドの外周と嵌合してもよい。
【００１７】
また、リセットスプリング部材が被駆動部に設けてもよい。
【００１８】
また、レンズの締め付けリングと適合する環状の挟持溝が、第１の取付座に設けてあり、カメラの環状係止スロットに適合する環状係止部材が、第２の取付座に設けてもよい。
【００１９】
また、本考案のレンズ・アダプタにおいて、第１の取付座、第２の取付座及び基部は、一体的に形成してもよい。
【考案の効果】
【００２０】
本考案のレンズ・アダプタによると、以下の効果を奏する。
【００２１】
手動開口調節リングが、調節機構を介してレンズ開口調節ロッドを調節する。この調節機構は、手動開口調節リングに固定されたバリアと基部上に配置された被駆動部を備えている。ここで、被駆動部はバリアによって作動する。被駆動部は、レンズ開口調節ロッドに接続し、バリアの側縁は特有のカーブを形成して、被駆動部と接触している。被駆動部はバリアの幅の変化によって移動し、レンズ開口調節ロッドを動かす。
【００２２】
特有のカーブの形状は、レンズ開口調節ロッドのストロークを調節及び補正し、これにより、手動開口調節リングの回転角及びレンズの開口寸法を、同期的かつ線形に比例して変化させるので、ユーザがレンズの開口を調節し操作することを容易にする。
【図面の簡単な説明】
【００２３】
【図１】本考案の好適な実施例によるレンズ・アダプタの分解斜視図
【図２】本考案のレンズ・アダプタの斜視図
【図３】本考案のレンズ・アダプタの調節機構とレンズを合体させた斜視図
【図４】被駆動部とバリアの狭端部が接触している場合、本考案のレンズ・アダプタの斜視図
【図５】被駆動部とバリアの広端部が接触している場合、本考案のレンズ・アダプタの斜視図
【図６】本考案のレンズ・アダプタの機構とレンズ開口調節ロッドを合体させた説明図
【考案を実施するための形態】
【００２４】
以下、図面及び実施例を参照して、本考案を説明する。
実施形態は、本考案の趣旨から逸脱しない範囲で、従来公知の技術を援用して適宜設計変更可能である。
【００２５】
図１〜６のように、レンズ・アダプタは、円筒形の基部１を備え、この基部１の一端には、レンズ５とこの基部１に納められる手動開口調節リング３と接続するための第１の取付座２が設けてあり、この基部１の他端には、カメラと接続するための第２の取付座４が設けてある。レンズ・アダプタは、さらに、レンズ開口調節ロッド５１及び手動開口調節リング３と接続する調節機構を備え、手動開口調節リング３の回転角は、調節機構による調節及び補正によって、レンズ開口の寸法変化に線形に比例する。
【００２６】
図２〜６のように、調節機構は、さらに手動開口調節リング３に固定されたバリア３１と、基部１上に配置された被駆動部１１を備える。この被駆動部１１はバリア３１により駆動し、被駆動部１１はレンズ開口調節ロッド５１に接続してある。
【００２７】
バリア３１は、円弧上の切片であって、狭端部３１１と広端部３１２を備えている。バリア３１の外側縁３１３は、手動開口調節リング３に固定してある。バリア３１の内側縁３１４は、手動開口調節リング３の内側に突出し、その幅の変化に因って特有のカーブを形成し、駆動部１１と接触する。
【００２８】
まず、バリア３１の内側縁３１４は、その狭端部３１１で被駆動部１１と接触する。そして、手動開口調節リング３が回転するにつれて、内側縁３１４と被駆動部１１間の接触部は狭端部３１１から広端部３１２へ変わり、被駆動部１１はバリア３１の幅の変化に因り駆動し、これにより、被駆動部１１に接続したレンズ開口調節ロッド５１が動き、レンズ開口の寸法を変化させる。
【００２９】
この場合、バリア３１の内側縁３１４は、手動開口調節リング３の内側溝と一致せず、手動開口調節リング３の角度とレンズ開口調節ロッド５１の角度との同期を変化させる。
【００３０】
さらに、レンズ開口調節ロッド５１が、レンズ開口の寸法変化と線形に比例しないこともある。実際、あるケースでは、あるストロークのレンズ開口調節ロッド５１の移動角度は少ないのに対してレンズ開口の寸法は著しく変化するが、他のケースでは、他のストロークのレンズ開口調節ロッド５１の移動角度は大きいのに対して、レンズ開口の寸法があまり変化しない。
【００３１】
バリア３１の内側縁３１４のカーブは、ストロークの違いに因る開口寸法の変化に従って、別異に構成できる。
【００３２】
例えば、カーブを、第１のケースにおけるレンズ開口調節ロッド５１のストロークに基づいて緩やかに構成してもよい。これにより、手動開口調節リング３の回転角はより大きくなり、バリア３１の幅はあまり変化せず、被駆動部１１の変位及びレンズ開口調節ロッド５１の移動角度はより大きくなり、これに応じて開口の寸法は著しく変化する。
【００３３】
他のカーブを、第２のケースにおけるストロークに基づいて急なカーブに構成してもよい。これにより、手動開口調節リング３の回転角はより小さくなり、バリア３１の幅は著しく変化し、被駆動部１１の変位及びレンズ開口調節ロッド５１の移動角度はより大きくなり、これに応じて、開口の寸法はあまり変化しない。
【００３４】
図７のように、カーブのこのような部分が特有のカーブを構成し、手動開口調節リング３の回転角及びレンズ５の開口寸法を、同期的かつ線形に比例して変化させるので、ユーザがレンズ５の開口を調節し操作することを容易にする。
【００３５】
さらに、バリア３１の内側縁３１４及び被駆動部１１を収容するためのくぼみ１２が、手動開口調節リング３が装着してある基部１の端部に設けてある。図７を参照すると、被駆動部１１は、基部１のくぼみ１２に設けられた回転軸１１１と、バリア３１の内側縁３１４と接触する嵌合部１１２と、レンズ開口調節ロッド５１と接続する調整部１１３を備える。
【００３６】
被駆動部１１の嵌合部１１２は、バリア３１により駆動され、被駆動部１１を回転軸１１１を中心に回転させる。このようにして、被駆動部１１の調整部１１３がレンズ開口調節ロッド５１を押し動かす。
【００３７】
もし、被駆動部１１及びバリア３１が、手動開口調節リング３がある平面と平行した単一の平面にない場合、嵌合部１１２は、被駆動部１１からバリア３１まで突出した柱状体であり、バリア３１の内側縁３１４は、嵌合部１１２の柱状体表面と接触する。
【００３８】
もし、被駆動部１１の調整部１１３とレンズ開口調節ロッド５１が、手動開口調節リング３がある平面と平行した単一の平面にない場合、調整部１１３は、被駆動部１１からレンズ開口調節ロッド５１まで突出した柱状体であり、この柱状体の表面がレンズ開口調節ロッド５１と接触して、レンズ開口調節ロッド５１を押し動かすことによって、レンズ５の開口寸法を調節する。
【００３９】
レンズ開口調節ロッド５１の動きは、レンズ５上の湾曲スロットに限定され、被駆動部１１の調整部１１３の位置は、レンズ５に備えられたレンズ開口調節ロッド５１の位置に対応し、調整部１１３は、レンズ開口調節ロッド５１と接触し、レンズ開口調節ロッド５１を押し動かし、レンズ５の開口寸法を調節する。
【００４０】
レンズ開口調節ロッド５１と接触する被駆動部１１の調整部１１３は、その外周の一部がレンズ開口調節ロッド５１の外周と嵌合する。
【００４１】
逆方向のリセットスプリング部材１１４が、被駆動部１１に設けてある。バリア３１の幅が広がると、レンズ開口調節ロッド５１は押し動される。しかし、逆に、手動開口調節リング３が逆に回転するときは、バリア３１の幅は狭くなる。この場合、間隙がバリア３１の内側縁３１４と被駆動部１１の嵌合部１１２の間に発生し、被駆動部１１が自動的に当初の位置に戻らない場合がある。この際は、リセットスプリング部材１１４を用い、被駆動部１１が逆方向に移動して当初の位置に戻るのを助ける。
【００４２】
第１の取付座２は、環状部材であって、基部１の一端に取り付けてある。
【００４３】
締め付けリングが、レンズ５の裏側に一定間隔で設けてあり、この締め付けリングの間に差込まれる環状の挟持溝２１が、第１の取付座２に設けてある。スプリング部品２２が、環状の挟持溝２１に並設してある。
【００４４】
レンズ５用の締め付けリングが、環状の挟持溝２１の間の空隙に入れられる。そして、レンズ５をレンズ・アダプタに対して回転させ、レンズ５用の締め付けリングが環状の挟持溝２１に固定され、環状の挟持溝２１のスプリング部品２２を押す。レンズ５用の締め付けリングは、スプリング部品２２の弾性変形により押圧される。このようにして、レンズ５が係止され、レンズ・アダプタへ装着される。
【００４５】
さらに、ポスト・ロッド１３が、基部１に設けてあり、ポスト・ロッド１３は、第１の取付座２を貫通し、レンズ５の後部に対抗する。ポスト・ロッド１３は、基部１の外周に位置する操作ボタン１４に接続してある。操作ボタンが押し下げられると、ポスト・ロッド１３はレンズ５の後部に対抗し、レンズ５用の締め付けリングが、環状の挟持溝２１内のスプリング部品２２を、それが完全にまっすぐに伸ばされるまで押す。そして、レンズ５用の締め付けリングは、環状の挟持溝２１から引き抜かれ、レンズ５はレンズ・アダプタから外れる。
【００４６】
第２の取付座４は、環状部材であって、基部１の他端に取り付けてある。
【００４７】
カメラ（図示せず）の環状係止スロットの間に差込まれる環状係止部材４１が、第２の取付座４に設けてある。同様に、第２の取付座４の環状係止部材４１は、カメラ用の環状係止スロットの空隙に入れられる。そして、基部１をカメラに対して回転させ、環状係止部材４１がカメラの環状係止スロットに固定され、レンズ・アダプタのマウント端部がカメラに挿入される。
【００４８】
なお、第１の取付座２、第２の取付座４及び基部１は、一体的に形成してもよい。
【産業上の利用可能性】
【００４９】
本考案はＳＬＲレンズに広く適用でき、産業上有用である。
【符号の説明】
【００５０】
１  基部
２  第１の取付座
３  手動開口調節リング
４  第２の取付座
５  レンズ
１１  被駆動部
１２  くぼみ
１３  ポスト・ロッド
１４  操作ボタン
２１  環状の挟持溝
２２  スプリング部品
３１  バリア
４１  環状係止部材
５１  レンズ開口調節ロッド
１１１  回転軸
１１２  嵌合部
１１３  調整部
１１４  リセットスプリング部材
３１１  狭端部
３１２  広端部
３１３  外側縁
３１４  内側縁
【図１】
0003188497.tif 000003
【図２】
0003188497.tif 000004
【図３】
0003188497.tif 000005
【図４】
0003188497.tif 000006
【図５】
0003188497.tif 000007
【図６】
0003188497.tif 000008
【手続補正書】
【提出日】平成25年8月30日(2013.8.30)
【手続補正１】
【補正対象書類名】実用新案登録請求の範囲
【補正対象項目名】請求項１
【補正方法】変更
【補正の内容】
【請求項１】
円筒形の基部の一端に、レンズ及びこの基部に納められる手動開口調節リングと接続する第１の取付座が設けられ、
基部の他端には、カメラと接続する第２の取付座が設けてあるレンズ・アダプタにおいて、
レンズ開口調節ロッド及び手動開口調節リングと接続し、手動開口調節リングの回転角を、レンズ開口の寸法変化に線形に比例するように調節する調節機構を備える
ことを特徴とするレンズ・アダプタ。
【手続補正２】
【補正対象書類名】図面
【補正対象項目名】図２
【補正方法】変更
【補正の内容】
【図２】
0003188497.tif 000009
【手続補正３】
【補正対象書類名】図面
【補正対象項目名】図４
【補正方法】変更
【補正の内容】
【図４】
0003188497.tif 000010
【手続補正４】
【補正対象書類名】図面
【補正対象項目名】図５
【補正方法】変更
【補正の内容】
【図５】
0003188497.tif 000011
【手続補正書】
【提出日】平成25年10月21日(2013.10.21)
【手続補正１】
【補正対象書類名】実用新案登録請求の範囲
【補正対象項目名】請求項１
【補正方法】変更
【補正の内容】
【請求項１】
円筒形の基部の一端に、レンズ及びこの基部に納められる手動開口調節リングと接続する第１の取付座が設けられ、
基部の他端には、カメラと接続する第２の取付座が設けてあるレンズ・アダプタにおいて、
レンズ開口調節ロッド及び手動開口調節リングと接続し、手動開口調節リングの回転角変化とレンズ開口の寸法変化とを比例させる調節機構を備える
ことを特徴とするレンズ・アダプタ。
【手続補正書】
【提出日】平成25年11月25日(2013.11.25)
【手続補正１】
【補正対象書類名】実用新案登録請求の範囲
【補正対象項目名】全文
【補正方法】変更
【補正の内容】
【実用新案登録請求の範囲】
【請求項１】
円筒形の基部の一端に、レンズ及びこの基部に納められる手動開口調節リングと接続する第１の取付座が設けられ、
基部の他端には、カメラと接続する第２の取付座が設けてあるレンズ・アダプタにおいて、
レンズ開口調節ロッド及び手動開口調節リングと接続する調節機構を備え、  前記調節機構が、手動開口調節リングに固定されたバリアと、基部上に配置された被駆動部とを備え、その被駆動部がレンズ開口調節ロッドに接続し、バリアの縁部が被駆動部と接触し、被駆動部がバリアの縁部形状の変化によって移動する
ことを特徴とするレンズ・アダプタ
【請求項２】
前記バリアが、円弧状の切片であり、狭端部と広端部を備え、そのバリアの外側縁が手動開口調節リングに固定され、バリアの内側縁が特定のカーブを形成して狭端部から広端部まで伸び、手動開口調節リングの内側に突出している内側縁が、その狭端部で被駆動部に接触する
請求項１に記載のレンズ・アダプタ。
【請求項３】
前記バリアの内側縁と被駆動部を収容するくぼみが、手動開口調節リングが装着してある基部の端部に設けてあり、被駆動部が、基部のくぼみに設けられた回転軸と、バリアの内側縁と接触する嵌合部と、レンズ開口調節ロッドと接続する調整部を備える
請求項２に記載のレンズ・アダプタ。
【請求項４】
前記被駆動部及びバリアが、手動開口調節リングがある平面と平行な単一の平面にない場合、嵌合部が、被駆動部からバリアまで突出した柱状体であり、バリアの内側縁が、嵌合部の柱状体表面と接触する
請求項３に記載のレンズ・アダプタ。
【請求項５】
前記被駆動部の調整部とレンズ開口調節ロッドとが、手動開口調節リングがある平面と平行な単一の平面にない場合、調整部が、被駆動部からレンズ開口調節ロッドまで突出した柱状体であり、その柱状体の表面がレンズ開口調節ロッドと接触し、レンズ開口調節ロッドを動して、レンズの開口寸法を調節する
請求項３に記載のレンズ・アダプタ。
【請求項６】
前記被駆動部の調整部の柱状体の表面が、レンズ開口調節ロッドの外周と嵌合する
請求項５に記載のレンズ・アダプタ。
【請求項７】
前記被駆動部にリセットスプリング部材が備わる
請求項３に記載のレンズ・アダプタ。
【請求項８】
前記第１の取付座に、レンズの締め付けリングと適合する環状の挟持溝が設けてあり、前記第２の取付座に、カメラの環状係止スロットに適合する環状係止部材が設けてある
請求項１に記載のレンズ・アダプタ。
【請求項９】
前記第１の取付座と、第２の取付座及び基部が、一体形成されている
請求項１に記載のレンズ・アダプタ。